(57)【特許請求の範囲】
【請求項１】
ヘッドケーシングの先端部に備えた一対のリップ間のスリットを通して供給される塗工液を、バッキングロールに巻掛けられて走行する原紙の表面に噴射して塗布するようにしてある塗工液噴射ヘッドの上記リップによるスリットの出口の幅端部を覆う位置に、内部に通水流路を形成して中空ジャケット構造としたデッケルカバーを幅方向へ移動可能に配置し、且つ該デッケルカバーの幅方向内端部を、鋭角的に尖がらせた幅切りエッジ片として、該幅切りエッジ片の上面に、上記通水流路と連通して塗工液の付着を防止するよう該幅切りエッジ片の上面に水をにじみ出させる小孔を設け、該幅切りエッジ片の先端部を、上記スリットの出口に位置させた構成を有することを特徴とする塗工液噴射ヘッドのデッケル装置。
【請求項２】
中空ジャケット構造としたデッケルカバーの幅方向内端部に設けられる幅切りエッジ片の上面に塗工液の付着を防止するよう水をにじみ出させる小孔に、多孔質物質を詰め込んで、該多孔質物質を通して小孔から水をにじみ出させるようにした請求項１記載の塗工液噴射ヘッドのデッケル装置。
【発明の詳細な説明】
【０００１】
【発明の属する技術分野】
本発明は製紙工場において製造される紙を原紙としてその表面に塗工液を塗布する塗工装置としてのブレードコータで用いられる塗工液噴射ヘッドの塗工幅を設定するためのデッケル装置に関するものである。
【０００２】
【従来の技術】
製紙工場で製造された紙はそのままの形で直ちに使用されることはなく、それを原紙として更に加工を施すことにより所望の目的に適合する製品としての加工紙とする場合が多い。加工紙には種々のものがあるが、その一つに塗被加工紙がある。塗被加工紙は、紙の表面に塗工液（塗工用カラー）を塗布させて製造するものであり、そのための装置として塗工装置が用いられている。
【０００３】
かかる塗工装置の一つとしては、図２にその一例の概略を示す如きブレードコータがある。該ブレードコータは、原紙１を巻掛けて走行させるようにしてあるバッキングロール２の下側近傍位置に、内部の液溜め３と連通するスリット４を形成するようにヘッドケーシング５の先端部に一対のリップ６が取り付けてあるジェットファウンテンと称する塗工液噴射ヘッド７を、上記バッキングロール２の長手方向となる幅方向と平行に延びるように配置し、且つ該塗工液噴射ヘッド７よりもバッキングロール２の回転方向下流側位置に、該塗工液噴射ヘッド７から上記原紙１の表面に塗布された塗工液８の余剰分を掻き取るブレード９を、原紙１の表面と接するように配置して、先ず、塗工液噴射ヘッド７から原紙１の表面へ向けて塗工液８を噴射供給して、原紙１の表面に幅方向に一様に塗工液８を塗布し、しかる後、原紙１に塗布された塗工液８の余剰分をブレード５にて掻き取ることにより、原紙１の表面に所要厚さの塗工液膜を均一に形成させるようにしている。Ｐは塗工液供給ポンプを示す。
【０００４】
上記塗工液噴射ヘッド７では、紙幅方向の両端縁部には塗工液８の付着しない領域を作るべく塗工液８の塗工幅（塗布幅）を決めるために、通常、デッケル装置が用いられている。
【０００５】
上記デッケル装置は、図３に一例を示す如く、先端部を幅切り片１０ａとしてＬ字状に屈曲形成したデッケルプレート１０を、リップ６間のスリット４の両端部（図では一端部のみを示す）に先端部の幅切り片１０ａが下向きとなるよう差し込んで、固定デッケル１１の上面とリップ６の内側面にガイドされて幅方向へ移動可能に配置し、且つ上記デッケルプレート１０の後端を、ヘッドケーシング５の幅方向外方へ突出位置させて移動用操作機構１２に連結した構成としてある。該移動用操作機構１２は、リップ６の両端に固定配置してあるエンドプレート１３の外側面に、幅方向外方へ張り出すように支持フレーム１４を取り付けて、該支持フレーム１４の張り出し側端部上に、後端にハンドル１５を有して幅方向に配した操作軸１６の後端部を、軸受１７を介して回転自在に支持させ、且つ該操作軸１６の先端側に設けたねじ部１６ａを、一端を上記デッケルプレート１０の後端に連結したガイドスリーブ１８の内ねじに螺合させ、更に、該ガイドスリーブ１８を、上記支持フレーム１４の上面に設置した幅方向ガイド１９に係合させた構成とし、ハンドル１５を回して操作軸１６を回転させることにより、ガイドスリーブ１８とともに上記デッケルプレート１０を操作軸１６に沿い移動させて、幅切り片１０ａを実線で示す位置や二点鎖線で示す位置に変位させるようにして塗工液８の塗工幅を調整できるようにしてある。
【０００６】
【発明が解決しようとする課題】
ところが、上記従来のデッケル装置の場合、塗工液８の塗工幅がデッケルプレート１０の幅切り片１０ａの先端の厚み面によって規制されるものであるが、幅切り片１０ａと塗工液８の接触面積が大きいため、幅切り片１０ａに塗工液８が付着し易くて汚れ易く、塗工液８の付着量が経時的に増大して行く結果、塗工液８の幅の切り具合が不安定となり、当初設定した塗工幅を長時間維持できなくなる問題があり、又、上述した理由により塗工幅を調整しようとしても、塗工液８が付着しているため幅調整が困難となる問題がある。
【０００７】
そこで、本発明は、長時間安定した塗工幅を維持でき、又、長時間使用しても塗工幅の調整を容易に行うことができるようにしようとするものである。
【０００８】
【課題を解決するための手段】
本発明は、上記課題を解決するために、ヘッドケーシングの先端部に備えた一対のリップ間のスリットを通して供給される塗工液を、バッキングロールに巻掛けられて走行する原紙の表面に噴射して塗布するようにしてある塗工液噴射ヘッドの上記リップによるスリットの出口の幅端部を覆う位置に、内部に通水流路を形成して中空ジャケット構造としたデッケルカバーを幅方向へ移動可能に配置し、且つ該デッケルカバーの幅方向内端部を、鋭角的に尖がらせた幅切りエッジ片として、該幅切りエッジ片の上面に、上記通水流路と連通して塗工液の付着を防止するよう該幅切りエッジ片の上面に水をにじみ出させる小孔を設け、該幅切りエッジ片の先端部を、上記スリットの出口に位置させた構成とする。
【０００９】
リップのスリットを通して原紙の表面に塗工液を噴射供給すると、幅切りエッジ片で塗工液の幅端部を鋭く切ることができて、精度よく塗工幅を設定することができる。又、デッケルカバーを、内部に通水流路を形成して中空ジャケット構造とし、且つ幅切りエッジ片の上面に、上記通水流路と連通して塗工液の付着を防止するよう該幅切りエッジ片の上面に水をにじみ出させる小孔を設けるようにしてあるので、小孔から流出する水により幅切りエッジ片の表面を濡らすことができて、塗工液付着による汚れを抑えることができる。
【００１０】
又、中空ジャケット構造としたデッケルカバーの幅方向内端部に設けられる幅切りエッジ片の上面に塗工液の付着を防止するよう水をにじみ出させる小孔に、多孔質物質を詰め込んで、該多孔質物質を通して小孔から水をにじみ出させるようにした構成としても、小孔から流出する水により幅切りエッジ片の表面を濡らすことができるため、塗工液付着による汚れを抑えることができる。
【００１１】
【発明の実施の形態】
以下、本発明の実施の形態を図面を参照して説明する。
【００１２】
図１（イ）（ロ）（ハ）は本発明の実施の一形態を示すもので、図２に示したと同様に、ヘッドケーシングの先端部に、内部の液溜めに連通するスリット４が形成され且つ先端部がヘッドケーシング上に突出するように一対のリップ６が取り付けてある塗工液噴射ヘッド７において、図３に示したと同様な移動用操作機構１２によりバッキングロール２の長手方向となる幅方向へ移動できるようにした平板状のデッケルカバー２０を上記リップ６間に形成されるスリット４の出口の幅端部を覆うよう配置し、且つ該デッケルカバー２０の幅方向内端部となる先端部を、カミソリ刃状に鋭角的に尖らせた幅切りエッジ片２１として、上記スリット４の出口に所要角度で接触位置させ、該幅切りエッジ片２１で塗工液８の幅切りを行うようにする。
【００１３】
又、上記デッケルカバー２０は、中空ジャケット構造として、幅方向外端部（後端部）から先端部側へ向けて延びる中央部の仕切り壁２２により迂回する通水流路２５を内部に形成し、且つ該仕切り壁２２の両側に形成された通水流路２５に連通させる給水管２３と排水管２４を後端部に接続して、給水管２３を通して供給した冷水Ｗを、通水流路２５を流通させてから排水管２４に排水させられるようにし、更に、上記幅切りエッジ片２１の上面に、上記通水流路２５と連通する細いスリット状の小孔２６を穿設し、又、該小孔２６内に、スポンジの如き多孔質物質２７を詰め込み、通水流路２５を流通する冷水Ｗの一部が小孔２６から、あるいは、多孔質物質２７を通り幅切りエッジ片２１の上面ににじみ出る如く流出させられるようにする。
【００１４】
なお、図１（イ）において、図３と同一部分は同一符号が付してある。
【００１５】
上記構成としてあるため、デッケルカバー２０の先端の幅切りエッジ片２１の位置で塗工幅を決めることができる。この場合、上記幅切りエッジ片２１はカミソリ刃の如く鋭角的に尖っているので、リップ６によるスリット４を通し原紙１の表面へ向けて塗工液８を噴射供給すると、膜状の塗工液８の幅端部を切れ味よく鋭く切ることができ、これにより、塗工幅を精度よく設定することができる。この際、デッケルカバー２０内の通水流路２５に冷水Ｗを流通させて、幅切りエッジ片２１の小孔２６から多孔質物質２７を通して冷水Ｗを連続的又は間欠的ににじみ出させる如く流出させるようにしてあるので、幅切りエッジ片２１の表面は常に冷水Ｗにより濡れた状態とすることができて、塗工液８の付着による汚れを防止することができる。そのため、設定した塗工幅を長時間安定して維持することができる。したがって、移動用操作機構１２により、デッケルカバー２０を移動させて幅切りエッジ片２１を、たとえば、図１（イ）の実線の位置から二点鎖線の位置へと変位させるようにして、塗工幅を調整するような場合でも、何ら支障なく容易に実施することができて、塗工液８の切れ具合を良好に維持することができる。
【００１６】
なお、上記実施の形態では、幅切りエッジ片２１にスリット状の小孔２６を設けた場合を示したが、丸孔を複数個設けてもよいこと、又、デッケルカバー２０を幅方向に移動させる機構としては、手動方式以外にもシリンダ方式、ラック・ピンオン方式等を任意に選定し得ること、更に、実施の形態では、デッケルカバー２０の後端に給水管２３と排水管２４を接続した場合を示したが、排水管２４にバルブを設けて開度調節することにより小孔２６からの冷水Ｗの流出量を任意に調整できるようにしたり、あるいは、給水管２３側で給水量、給水圧力を調節できるようにすれば、排水管２４を不要としてもよいこと、その他本発明の要旨を逸脱しない範囲内において種々変更を加え得ることは勿論である。
【００１７】
【発明の効果】
以上述べた如く、本発明の塗工液噴射ヘッドのデッケル装置によれば、ヘッドケーシングの先端部に備えた一対のリップ間のスリットを通して供給される塗工液を、バッキングロールに巻掛けられて走行する原紙の表面に噴射して塗布するようにしてある塗工液噴射ヘッドの上記リップによるスリットの出口の幅端部を覆う位置に、内部に通水流路を形成して中空ジャケット構造としたデッケルカバーを幅方向へ移動可能に配置し、且つ該デッケルカバーの幅方向内端部を、鋭角的に尖がらせた幅切りエッジ片として、該幅切りエッジ片の上面に、上記通水流路と連通して塗工液の付着を防止するよう該幅切りエッジ片の上面に水をにじみ出させる小孔を設け、該幅切りエッジ片の先端部を、上記スリットの出口に位置させた構成としてあるので、幅切りエッジ片で塗工液の膜を鋭く切ることができて塗工幅を精度よく設定することができる。又、デッケルカバーを、内部に通水流路を形成して中空ジャケット構造とし、且つ幅切りエッジ片の上面に、上記通水流路と連通して塗工液の付着を防止するよう該幅切りエッジ片の上面に水をにじみ出させる小孔を設けるようにしてあるので、小孔を通して水を流出させて、幅切りエッジ片の表面を濡らすことができて、幅切りエッジ片の塗工液付着による汚れを防止することができ、これにより、設定した塗工幅を長期間安定して維持することができると共に、長時間の運転後も塗工幅の調整を容易且つ確実に行うことができる。又、中空ジャケット構造としたデッケルカバーの幅方向内端部に設けられる幅切りエッジ片の上面に塗工液の付着を防止するよう水をにじみ出させる小孔に、多孔質物質を詰め込んで、該多孔質物質を通して小孔から水をにじみ出させるようにした構成としても、小孔を通し水を流出させて、幅切りエッジ片の表面を濡らすことができるため、幅切りエッジ片の塗工液付着による汚れを防止することができ、これにより、設定した塗工幅を長期間安定して維持することができると共に、長時間の運転後も塗工幅の調整を容易且つ確実に行うことができる、という優れた効果を発揮する。
【図面の簡単な説明】
【図１】本発明の塗工液噴射ヘッドのデッケル装置の実施の一形態を示すもので、（イ）は切断側面図、（ロ）は平面図、（ハ）は（イ）のＡ部拡大図である。
【図２】ブレードコータの一例を示す概略図である。
【図３】従来のデッケル装置の一例を示す図２のＢ−Ｂ方向拡大矢視図である。
【符号の説明】
１  原紙
２  バッキングロール
４  スリット
５  ヘッドケーシング
６  リップ
７  塗工液噴射ヘッド
８  塗工液
２０  デッケルカバー
２１  幅切りエッジ片
２５  通水流路
２６  小孔
２７  多孔質物質
【図１】
0004506008.tif 000002
【図２】
0004506008.tif 000003
【図３】
0004506008.tif 000004